(57)【要約】【課題】マルチパス方式による印刷動作を途中で一時停止し、記録媒体を送った後、印刷動作を再開するような場合にも、印刷画像の後端部にマルチパス方式に起因する印刷抜けが残ることがなく、印刷物としての価値を損ねることのないインクジェット記録方法等を提供する。【解決手段】印刷動作を途中で一時停止する際に、途中まで印刷した印刷画像の後端部において、マルチパス方式に起因する印刷抜けを残さないように、ラスタラインを形成する後端部ライン形成処理（Ｓ５）を行った後、印刷動作を一時停止する（Ｓ６）。【選択図】図５
2014047443.tif 000002
【特許請求の範囲】
【請求項１】
インクジェットヘッドに対して記録媒体を走査方向に相対移動させながら、マルチパス方式で、前記走査方向に並ぶ複数のラスタラインを形成して印刷画像を印刷する画像形成部と、
前記画像形成部による印刷動作を途中で一時停止させる際に、途中まで印刷された前記印刷画像の後端部において、前記マルチパス方式に起因する印刷抜けを残さないように、前記ラスタラインを形成する後端部ライン形成処理を、前記画像形成部に行わせた後、前記印刷動作を一時停止させる制御部と、
を備えたことを特徴とするインクジェット記録装置。
【請求項２】
前記印刷動作を途中で一時停止させる一時停止指令をユーザーに入力させる入力部を、さらに備え、
前記制御部は、前記一時停止指令の入力に基づいて、前記後端部ライン形成処理を前記画像形成部に行わせた後、前記印刷動作を一時停止させることを特徴とする請求項１に記載のインクジェット記録装置。
【請求項３】
前記後端部ライン形成処理の実行を選択肢に含む動作選択画面を表示する表示部を、さらに備え、
前記制御部は、前記一時停止指令の入力に基づいて、前記印刷動作を仮停止させると共に前記表示部に前記動作選択画面を表示させ、前記動作選択画面において前記後端部ライン形成処理の実行が選択された場合、前記画像形成部に前記後端部ライン形成処理を行わせた後、前記印刷動作を一時停止させることを特徴とする請求項２に記載のインクジェット記録装置。
【請求項４】
前記制御部は、前記画像形成部による前記印刷動作を再開させる際に、再開後に印刷される前記印刷画像の先端部において、前記マルチパス方式に起因する印刷抜けを作らないように、前記ラスタラインを形成する先端部ライン形成処理を、前記画像形成部に行わせることを特徴とする請求項１ないし３のいずれかに記載のインクジェット記録装置。
【請求項５】
インクジェットヘッドに対して記録媒体を走査方向に相対移動させながら、マルチパス方式で、前記走査方向に並ぶ複数のラスタラインを形成して印刷画像を印刷するインクジェット記録方法であって、
印刷動作を途中で一時停止する際に、途中まで印刷した前記印刷画像の後端部において、前記マルチパス方式に起因する印刷抜けを残さないように、前記ラスタラインを形成する後端部ライン形成処理を行った後、前記印刷動作を一時停止することを特徴とするインクジェット記録方法。
【請求項６】
インクジェット記録装置と、前記インクジェット記録装置を制御する制御装置と、を備えたインクジェット記録システムであって、
前記インクジェット記録装置は、インクジェットヘッドに対して記録媒体を走査方向に相対移動させながら、マルチパス方式で、前記走査方向に並ぶ複数のラスタラインを形成して印刷画像を印刷する画像形成部を、有し、
前記制御装置は、前記インクジェット記録装置による印刷動作を途中で一時停止させる際に、途中まで印刷された前記印刷画像の後端部において、前記マルチパス方式に起因する印刷抜けを残さないように、前記ラスタラインを形成する後端部ライン形成処理を、前記インクジェット記録装置に行わせた後、前記印刷動作を一時停止させる制御部を、有することを特徴とするインクジェット記録システム。
【発明の詳細な説明】
【技術分野】
【０００１】
本発明は、布帛等の記録媒体に印刷を行うインクジェット記録装置、インクジェット記録方法およびインクジェット記録システムに関するものである。
【背景技術】
【０００２】
従来、インクジェットヘッドに対して記録媒体を移動させながら、マルチパス記録方式で、搬送方向に並ぶ複数の記録ラインを形成して印刷を行う捺染プリンターが知られている（特許文献１参照）。また、この種の捺染プリンターでは、印刷の終了時に、印刷画像の後端部において、マルチパス記録方式に起因する印刷抜けが生じるため、この印刷抜けを残さないように記録ラインを形成した後、印刷を終了するようにしている。
【先行技術文献】
【特許文献】
【０００３】
【特許文献１】特開２００１−２６０３３２号公報
【発明の概要】
【発明が解決しようとする課題】
【０００４】
ところで、捺染プリンターにより、布帛に対して印刷を行う場合には、ロール状に巻回した布帛を繰り出しながら、これにインクジェットヘッドにより印刷が行われる。そして、布帛のロールが布切れ（終端部）に近づいたら、その布帛の終端部と、次のロールの布帛の先端部とをミシン等で縫い合わせ、印刷を続けることが一般に行われている。この場合、布帛の継ぎ目部分が厚くなっているため、継ぎ目部分がインクジェットヘッドの移動経路を通過する際に、インクジェットヘッドと干渉するおそれがある。そこで、印刷動作を途中で一時停止し、インクジェットヘッドを布帛の送り経路側方に回避した上で、継ぎ目部分がインクジェットヘッドの移動経路を通過するまで布帛を送った後、印刷動作を再開するようにすることが考えられる。
【０００５】
そして、このように印刷動作を途中で一時停止した場合にも、印刷終了時における印刷画像の後端部と同様に、途中まで印刷された印刷画像の後端部において、マルチパス方式に起因する印刷抜けが生じる。しかしながら、従来の捺染プリンターは、印刷動作を途中で一時停止した場合には、印刷の終了時とは異なり、マルチパス方式に起因する印刷抜けを残さないように記録ライン（ラスタライン）を形成するものではなかった。このため、印刷動作を途中で一時停止し、記録媒体を送った後、印刷動作を再開する場合や、印刷動作を途中で一時停止した後、印刷動作を再開せずに印刷を終了する場合などには、マルチパス方式に起因する印刷抜けが残ってしまい、印刷物としての価値を低下させる要因となっていた。
【０００６】
本発明は、マルチパス方式による印刷動作を途中で一時停止し、記録媒体を送った後、印刷動作を再開するような場合にも、印刷画像の後端部にマルチパス方式に起因する印刷抜けが残ることがなく、印刷物としての価値を損ねることのないインクジェット記録装置、インクジェット記録方法およびインクジェット記録システムを提供することをその課題としている。
【課題を解決するための手段】
【０００７】
本発明のインクジェット記録装置は、インクジェットヘッドに対して記録媒体を走査方向に相対移動させながら、マルチパス方式で、走査方向に並ぶ複数のラスタラインを形成して印刷画像を印刷する画像形成部と、画像形成部による印刷動作を途中で一時停止させる際に、途中まで印刷された印刷画像の後端部においてマルチパス方式に起因する印刷抜けを残さないように、ラスタラインを形成する後端部ライン形成処理を、画像形成部に行わせた後、印刷動作を一時停止させる制御部と、を備えたことを特徴とする。
【０００８】
本発明のインクジェット記録方法は、インクジェットヘッドに対して記録媒体を走査方向に相対移動させながら、マルチパス方式で、走査方向に並ぶ複数のラスタラインを形成して印刷画像を印刷するインクジェット記録方法であって、印刷動作を途中で一時停止する際に、途中まで印刷した印刷画像の後端部において、マルチパス方式に起因する印刷抜けを残さないように、ラスタラインを形成する後端部ライン形成処理を行った後、印刷動作を一時停止することを特徴とする。
【０００９】
インクジェット記録装置と、インクジェット記録装置を制御する制御装置と、を備えたインクジェット記録システムであって、インクジェット記録装置は、インクジェットヘッドに対して記録媒体を走査方向に相対移動させながら、マルチパス方式で、走査方向に並ぶ複数のラスタラインを形成して印刷画像を印刷する画像形成部を、有し、制御装置は、インクジェット記録装置による印刷動作を途中で一時停止させる際に、途中まで印刷された印刷画像の後端部において、マルチパス方式に起因する印刷抜けを残さないように、ラスタラインを形成する後端部ライン形成処理を、インクジェット記録装置に行わせた後、印刷動作を一時停止させる制御部を、有することを特徴とする。
【００１０】
この構成によれば、印刷動作を途中で一時停止する際に、途中まで印刷した印刷画像の後端部において、マルチパス方式に起因する印刷抜けを残さないように、ラスタラインを形成する後端部ライン形成処理を行った後、印刷動作を一時停止するため、マルチパス方式に起因する印刷抜けが残ることがない。したがって、マルチパス方式による印刷動作を途中で一時停止した場合にも、印刷物としての価値を損ねることがない。
【００１１】
上記のインクジェット記録装置において、印刷動作を途中で一時停止させる一時停止指令をユーザーに入力させる入力部を、さらに備え、制御部は、一時停止指令の入力に基づいて、後端部ライン形成処理を画像形成部に行わせた後、印刷動作を一時停止させることが好ましい。
【００１２】
この構成によれば、入力部を備えたことで、ユーザーが任意のタイミングで印刷動作を一時停止させることができる。そして、一時停止指令が入力された場合、制御部が、後端部ライン形成処理を画像形成部に行わせた後、印刷動作を一時停止させることで、マルチパス方式に起因する印刷抜けが残ることがない。
【００１３】
この場合、後端部ライン形成処理の実行を選択肢に含む動作選択画面を表示する表示部を、さらに備え、制御部は、一時停止指令の入力に基づいて、印刷動作を仮停止させると共に表示部に動作選択画面を表示させ、動作選択画面において後端部ライン形成処理の実行が選択された場合、画像形成部に後端部ライン形成処理を行わせた後、印刷動作を一時停止させることが好ましい。
【００１４】
この構成によれば、印刷動作を一時停止する際に、必要に応じて、後端部ライン形成処理を行うようにすることができる。例えば、印刷抜けが残っても構わない場合などには、ユーザーが、動作選択画面において後端部ライン形成処理の実行を選択しないことで、後端部ライン形成処理に要する時間やインクを節約することができる。
【００１５】
この場合、制御部は、画像形成部による印刷動作を再開させる際に、再開後に印刷される印刷画像の先端部において、マルチパス方式に起因する印刷抜けを作らないように、ラスタラインを形成する先端部ライン形成処理を、画像形成部に行わせることが好ましい。
【００１６】
この構成によれば、再開後に印刷される印刷画像の先端部において、マルチパス方式に起因する印刷抜けを作らないように、ラスタラインを形成する先端部ライン形成処理を行う。これにより、再開後の印刷画像の先端部においても、マルチパス方式に起因する印刷抜けが残ることがない。
【図面の簡単な説明】
【００１７】
【図１】実施形態に係るインクジェット記録システムの構成図である。
【図２】インクジェット記録システムの制御ブロック図である。
【図３】インクジェット記録システムにおけるインターレース方式による印刷動作を模式的に示す図である。
【図４】インクジェット記録システムにおける後端部ライン形成処理および先端部ライン形成処理を模式的に示す図である。
【図５】インクジェット記録装置における印刷動作の一時停止前後の処理を示すフローチャートである。
【図６】動作選択ダイアログＡおよび動作選択ダイアログＢを示す図である。
【図７】動作選択ダイアログＡおよび動作選択ダイアログＢの他の例を示す図である。
【発明を実施するための形態】
【００１８】
以下、添付の図面を参照して、本発明の一実施形態に係るインクジェット記録装置について説明する。図１に示すように、インクジェット記録装置１は、いわゆるリール・ツー・リールの形式で除給材される布帛等の記録媒体Ｗに、染料インクを用いインクジェット方式で文様等を印刷（捺染）するものである。なお、インクジェット記録装置１に関する以下の説明では、記録媒体Ｗの正逆送り方向をＸ軸方向と、Ｘ軸方向に直交する方向をＹ軸方向と規定する。
【００１９】
同図に示すように、このインクジェット記録装置１は、ロール状に巻回された記録媒体Ｗを繰り出して送る繰出部２と、繰り出された記録媒体Ｗを送り経路３に沿って印刷のために送る装置本体４と、装置本体４の上側に配設され、装置本体４と協働して記録媒体Ｗにインクジェット方式で印刷を行う印刷部５と、印刷部５により印刷された記録媒体Ｗを、装置本体４の送り方向下流側において巻き取って回収する巻取部６とを備えている。さらに、インクジェット記録装置１は、装置全体を統括制御する制御部７と、ユーザーとのインターフェースを提供する表示部８および操作部９とを備えている（図２参照）。
【００２０】
装置本体４は、鋼材を組んで構成した本体用機台１１と、本体用機台１１に支持され、記録媒体Ｗをベルト搬送によりＸ軸方向に間欠送りする媒体送り機構１２と、を有している。印刷部５は、インクジェットヘッド１５を有するキャリッジユニット１４と、キャリッジユニット１４をＹ軸方向に往復動させるヘッド移動機構１６と、を有している。一方、繰出部２は、記録媒体Ｗを繰り出す繰出しユニット１８と、繰り出され記録媒体Ｗの弛みを取る弛取りユニット１９と、を有している。また、巻取部６は、記録媒体Ｗを巻き取る巻取りユニット２１と、巻取りユニット２１に間紙Ｐを供給する間紙ユニット２２と、記録媒体Ｗを巻き取る前に記録媒体Ｗに浸み込んだ染料インクの溶剤（水分）を気化させるヒーターユニット２３とを有し、これらを巻取部用機台２４に搭載して構成されている。
【００２１】
繰出しユニット１８から繰り出された記録媒体Ｗは、弛取りユニット１９により張られるようにして弛みが取られ、媒体送り機構１２に送り込まれる。媒体送り機構１２に送り込まれた記録媒体Ｗは、表面に粘着されるようにしてベルト搬送される。そして、このベルト搬送により、記録媒体ＷをＸ軸方向に間欠送り（副走査）させながら、これに同期してキャリッジユニット１４がＹ軸方向に往復動（主走査）し、インクジェットヘッド１５からインクを吐出して、Ｘ軸方向（副走査方向）に並ぶ複数のラスタラインを形成し、印刷画像を印刷する。この印刷動作は、より具体的には、後述するインターレース方式により行われる。
【００２２】
このようにして、印刷が行われた後、記録媒体Ｗの印刷済み部分（捺染済み部分）は、媒体送り機構１２から巻取部６に送り出される。巻取部６では、媒体送り機構１２から送り出された記録媒体Ｗに、間紙ユニット２２から間紙Ｐが連続的に供給され、記録媒体Ｗと間紙Ｐとが重なってヒーターユニット２３に送られる。ヒーターユニット２３では、間紙Ｐと共に記録媒体Ｗが加熱され、染料インクの溶剤（水分）が気化される。このようにして、乾燥処理された捺染済みの記録媒体Ｗは、間紙Ｐと共に巻取りユニット２１に巻き取られる。
【００２３】
媒体送り機構１２は、上記の本体用機台１１上に載置固定した左右（Ｙ軸方向）一対のサイドフレーム６２と、一対のサイドフレーム６２に支持され、無端の搬送ベルト６４を有するベルト搬送ユニット６３と、ベルト搬送ユニット６３の下側に配設され、回転ブラシ９７により搬送ベルト６４を洗浄するベルト洗浄ユニット６５と、を備えている。また、媒体送り機構１２は、上流側においてベルト搬送ユニット６３に上側から臨み、弛取りユニット１９から送り込まれた記録媒体Ｗを搬送ベルト６４に貼着する押圧ローラー６６と、下流側においてベルト搬送ユニット６３に対し斜め上方に配設され、印刷後の記録媒体Ｗを搬送ベルト６４から引き剥がして巻取部６に送り込む分離ローラー６７と、を備えている。
【００２４】
ベルト搬送ユニット６３は、送り方向の下流側に位置する駆動プーリー８１と、送り方向の上流側に位置する従動プーリー８２と、駆動プーリー８１および従動プーリー８２間に架け渡した無端の搬送ベルト６４と、を有している。駆動プーリー８１および従動プーリー８２は、専用の軸受を介して、一対のサイドフレーム６２に回転自在に支持されており、駆動プーリー８１の一方の軸端には、搬送ベルト６４を間欠で走行させる搬送モーター８６が連結されている。搬送ベルト６４は、外周面（表面）に粘着性を有する（粘着処理）幅広の特殊なベルトで構成され、記録媒体Ｗを貼着してこれをＸ軸方向に送る。これにより、記録媒体Ｗは、印刷部５の直下において、捲れ等の発生が防止され、印刷送り（間欠送り）される。
【００２５】
印刷部５は、送り経路３（ベルト搬送ユニット６３）を跨ぐようにＹ軸方向に延在するプリンターフレーム１０１と、プリンターフレーム１０１に支持されたヘッド移動機構１６と、ヘッド移動機構１６に搭載されてＹ軸方向に往復動するキャリッジユニット１４と、これらを覆うプリンターカバー１０２と、を備えている。また、特に図示しないが、印刷部５には、インクジェットヘッド１５を保守するキャップユニットやクリーニングユニットが搭載されている。さらに、装置本体４（媒体送り機構１２）に対し、印刷部５全体を昇降させることにより、インクジェットヘッド１５のノズル面と、搬送ベルト６４上の記録媒体ＷとのワークギャップＧを調整するギャップ調整部１５０が設けられている。
【００２６】
キャリッジユニット１４は、カラープリント用の複数色のノズル列を有するインクジェットヘッド１５と、ノズル列がＸ軸方向と平行になるようにインクジェットヘッド１５を保持するキャリッジ１０７と、を有している。なお、各ノズル列に供給される各色の染料インクは、いわゆるオフキャリッジのインクタンクから供給される。
【００２７】
ヘッド移動機構１６は、キャリッジユニット１４を片持ちでＹ軸方向にスライド自在に支持する２本のキャリッジガイド１１１と、キャリッジユニット１４をキャリッジガイド１１１に沿って往復動させるタイミングベルト１１６と、タイミングベルト１１６を正逆走行させるキャリッジモーター１１３と、を有している。キャリッジモーター１１３によりタイミングベルト１１６を正逆走行させると、キャリッジユニット１４が、キャリッジガイド１１１に案内されてＹ軸方向に往復動する。
【００２８】
図２に示すように、制御部７は、ＣＰＵ２０１（Central Processing Unit）と、メモリー２０２と、制御回路２０３と、インターフェース部２０４（Ｉ／Ｆ部）と、を備えている。ＣＰＵ２０１は、インクジェット記録装置１全体の制御を行うための演算処理装置である。メモリー２０２は、ＣＰＵ２０１で実行されるプログラムを格納する領域や作業領域等を確保するためのものである。制御回路２０３は、ＣＰＵ２０１から出力された制御信号に基づいて、インクジェット記録装置１の各部を制御する。インターフェース部２０４は、外部装置であるコンピューター（図示省略）とインクジェット記録装置１との間でデータの送受信を行うためのものである。
【００２９】
表示部８は、例えば液晶ディスプレイで構成され、操作部９は、各種のハードキーや、表示部８（液晶ディスプレイ）の表面に設けられたタッチパネルなどで構成されている。そして、表示部８は、ＧＵＩ（Graphical User Interface）ボタン等により、各種コマンドの選択肢を表示すると共に、ユーザーが、操作部９によりコマンドを選択することにより、各種コマンドが入力される。なお、これらの表示部８や操作部９は、印刷部５の外面（プリンターカバー１０２）に取り付けられている。
【００３０】
本実施形態のインクジェット記録装置１は、マルチパス方式の一つであるインターレース方式により印刷動作を行う。このインターレース方式とは、１回の主走査で形成したラスタライン間に、別の主走査でラスタラインを形成する印刷動作である。以下、その一例として、図３を参照して具体的に説明する。なお、図３では、説明の便宜上、インクジェットヘッド１５のノズル１５ｎの個数を少なく（７個）し、また、インクジェットヘッド１５と記録媒体Ｗとの相対位置を示すためにインクジェットヘッド１５が記録媒体Ｗに対してＸ軸方向に移動（副走査）しているように示す。
【００３１】
図３に示すように、インターレース方式による印刷動作では、ｎ回目の主走査で、７個のノズル１５ｎにより、ｍ列目、ｍ＋４列目、ｍ＋８列目、ｍ＋１２列目、ｍ＋１６列目、ｍ＋２０列目およびｍ＋２４列目の計７列のラスタラインが形成される。インクジェットヘッド１５のノズルピッチは、ラスタラインのラインピッチの４倍に相当している。
【００３２】
続いて、インクジェットヘッド１５をラインピッチの７倍分、相対移動（副走査）させた後、ｎ＋１回目の主走査により、ｍ＋７列目、ｍ＋１１列目、ｍ＋１５列目、ｍ＋１９列目、ｍ＋２３列目、ｍ＋２７列目およびｍ＋３１列目の計７列のラスタラインが形成される。
【００３３】
そして、このように、７列のラインラスタを形成する主走査とラインピッチの７倍分の副走査とを繰り返すことで、副走査方向に複数のラスタラインが形成されていく。より具体的には、ｍ列目〜ｍ＋６列目までの７本のラスタラインは、１番目、３番目、５番目、７番目、２番目、４番目、６番目のノズル１５ｎによりそれぞれ形成され、次のｍ＋７列目〜ｍ＋１３列目の７本のラスタラインも、これと同じ順序の各ノズル１５ｎで形成され、以下、これが繰り返される。相互に隣接する列のラスタラインは、異なる回の主走査により形成されたものとなる。
【００３４】
一方、印刷画像の途中で印刷動作を一時停止した場合には、途中まで印刷された印刷画像の後端部において、縞状の印刷抜け（未形成のラスタライン）が生じることになる。具体的には、図３に示すように、ｎ＋３回目の主走査が行われた後、印刷動作を一時停止した場合、ｍ＋４５列目までのラスタラインが形成されているが、そのうち、ｍ＋２８列目、ｍ＋３２列目、ｍ＋３５列目、ｍ＋３６列目、ｍ＋３９列目、ｍ＋４０列目、ｍ＋４２列目、ｍ＋４３列目およびｍ＋４４列目の９列は、印刷動作が一時停止されるまでに形成されず、縞状の印刷抜けとなる。つまり、途中まで印刷された印刷画像の後端部とは、途中まで印刷された印刷画像のうち印刷抜けが生じている部分をいう。
【００３５】
さらに、印刷動作の一時停止中に、記録媒体Ｗを送った場合には、再開後に印刷された印刷された印刷画像の先端部においても、縞状の印刷抜けが生じることになる。具体的には、図３に示すように、再開後、ｎ＋４回目の主走査で、７個のノズル１５ｎにより、ｍ＋２８列目、ｍ＋３２列目、ｍ＋３６列目、ｍ＋４０列目、ｍ＋４４列目、ｍ＋４８列目およびｍ＋５２列目の計７列のラスタラインが形成される。以下、上記と同様に、７列のラインラスタを形成する主走査とラインピッチの７倍分の副走査とを繰り返すことで、再び、副走査方向に複数のラスタラインが形成されていくが、再開後の印刷画像の先端部においては、ｍ＋２９列目、ｍ＋３０列目、ｍ＋３１列目、ｍ＋３３列目、ｍ＋３４列目、ｍ＋３７列目、ｍ＋３８列目、ｍ＋４１列目およびｍ＋４５列目の９列（印刷動作が一時停止されるまでに形成された９列）は、縞状の印刷抜けとなる。
【００３６】
そこで、本実施形態のインクジェット記録装置１は、印刷動作を一時停止する際に、途中まで（ｍ＋４５列目まで）印刷された印刷画像の後端部において、縞状の印刷抜けを残さないようにラスタラインを形成する後端部ライン形成処理（以下「泣別れ印刷（前半）」ともいう。）を行った後、印刷動作を一時停止する。また、印刷動作を再開する際には、再開後に印刷される印刷画像の先端部において、縞状の印刷抜けを作らないようにラスタラインを形成する先端部ライン形成処理（以下「泣別れ印刷（後半）」ともいう。）を行う。
【００３７】
図４を参照して、後端部ライン形成処理、先端部ライン形成処理の順に具体的に説明する。なお、図４では、後端部ライン形成処理および先端部ライン形成処理における各主走査で、ラスタラインを形成するノズル１５ｎを、黒丸で示し、ラスタラインを形成しないノズル１５ｎを破線白丸で示す。また、後端部ライン形成処理および先端部ライン形成処理により形成されるラスタライン（ドット）を黒丸で示す。
【００３８】
図４に示すように、後端部ライン形成処理として、４回の主走査を行い、印刷抜けを残さないようにラスタラインを形成する。すなわち、インクジェットヘッド１５を一時停止前からラインピッチの２倍分相対移動させた後、後端部ライン形成処理における１回目の主走査により、４番目、５番目および６番目のノズル１５ｎにより、印刷抜けであったｍ＋３５列目、ｍ＋３９列目およびｍ＋４３列目のラスタラインを形成する。これと共に、７番目のノズル１５ｎにより、ｍ＋４７番目のラスタラインを形成する。
【００３９】
続いて、インクジェットヘッド１５をラインピッチ分相対移動させた後、２回目の主走査により、２番目〜６番目のノズル１５ｎにより、印刷抜けであった、ｍ＋２８列目、ｍ＋３２列目、ｍ＋３６列目、ｍ＋４０列目およびｍ＋４４列目のラスタラインを形成する。これと共に、７番目のノズル１５ｎにより、ｍ＋４８番目のラスタラインを形成する。続いて、インクジェットヘッド１５をラインピッチ分相対移動させた後、３回目の主走査により、７番目のノズル１５ｎにより、ｍ＋４９番目のラスタラインを形成する。最後に、インクジェットヘッド１５をラインピッチ分相対移動させた後、４回目の主走査により、５番目のノズル１５ｎにより、印刷抜けであったｍ＋４２列目のラスタラインを形成する。これと共に、６番目および７番目のノズル１５ｎにより、ｍ＋４６列目およびｍ＋５０列目のラスタラインを形成する。
【００４０】
以上のようにして、後端部ライン形成処理においては、ｍ＋４５列目までにおいて印刷抜けであった９列のラスタラインが埋められる（形成される）と共に、ｍ＋４６列目〜ｍ＋５０列目までのラスタラインが連続的に（印刷抜けなく）形成される。なお、この後端部ライン形成処理においては、ｍ＋４６列目〜ｍ＋５０列目までのラスタラインを形成しなくてもよい。この場合には、後端部ライン形成処理における３回目の主走査は不要となる。
【００４１】
続いて、先端部ライン形成処理について説明する。上記のライン形成処理においてｍ＋５０列目までのラスタラインが形成された場合、先端部ライン形成処理における１回目の主走査により、１番目、２番目および３番目のノズル１５ｎにより、ｍ＋５１列目、ｍ＋５５列目およびｍ＋５９列目のラスタラインを形成する。続いて、インクジェットヘッド１５をラインピッチ分相対移動させた後、２回目の主走査により、１番目のノズル１５ｎにより、ｍ＋５２列目のラスタラインを形成する。続いて、インクジェットヘッド１５をラインピッチ分相対移動させた後、３回目の主走査により、１番目〜６番目のノズル１５ｎにより、ｍ＋５３列目、ｍ＋５７列目、ｍ＋６１列目、ｍ＋６５列目、ｍ＋６９列目およびｍ＋７３列目のラスタラインを形成する。続いて、インクジェットヘッド１５をラインピッチ分相対移動させた後、４回目の主走査により、１番目〜４番目のノズル１５ｎにより、ｍ＋５４列目、ｍ＋５８列目、ｍ＋６２列目およびｍ＋６６列目のラスタラインを形成する。最後に、インクジェットヘッド１５をラインピッチの２倍分相対移動させた後、５回目の主走査により、１番目〜７番目のノズル１５ｎにより、ｍ＋５６列目、ｍ＋６０列目、ｍ＋６４列目、ｍ＋６８列目、ｍ＋７２列目、ｍ＋７６列目およびｍ＋８０列目のラスタラインを形成する。
【００４２】
このように、再開後の５回の主走査により、再開後の印刷画像の先端部において、縞状の印刷抜けを作ることなく、ｍ＋５１列目からｍ＋６２列目までのラスタラインが連続的に形成される。ｍ＋６３列目以降についても、再開後５回の主走査の後、上記のように７列のラインラスタを形成する主走査とラインピッチの７倍分の副走査とを繰り返すことで、副走査方向に複数のラスタラインが形成されていく。
【００４３】
図５および図６を参照して、インクジェット記録装置１における印刷動作の一時停止前後の処理について説明する。ここでは、ロール状の布帛である記録媒体Ｗが布切れに近づいたため、ユーザーが、その布帛の終端部と、次のロール状の布帛の先端部とを縫い合わせ、印刷を続ける場合に、布帛の継ぎ目部分が厚くなっているため、印刷画像の途中で印刷動作を一時停止し、インクジェットヘッド１５を送り経路３の側方に回避した上で、継ぎ目部分がインクジェットヘッド１５の移動経路（キャリッジガイド１１１の下方）を通過するまで布帛を送った後、印刷動作を再開する場合について説明する。
【００４４】
まず、ユーザーは、布帛の継ぎ目部分がインクジェットヘッド１５の移動経路に近づいてきたら、操作部９により、印刷動作を一時停止させる一時停止指令を入力する（Ｓ１）。これにより、制御部７は、印刷部５および媒体送り機構１２を制御して、印刷動作を仮停止させる（Ｓ２）。このとき、インクジェットヘッド１５（キャリッジユニット１４）は、送り経路３の側方に移動している。またこれと共に、制御部７は、図６に示すように、表示部８に動作選択ダイアログＡを表示させる（Ｓ３）。動作選択ダイアログＡでは、ユーザーが、「印刷再開」、「泣別れ印刷」および「印刷中止」の３動作から１の動作を選択できるようになっている。
【００４５】
ユーザーが、動作選択ダイアログＡにおいて、「泣別れ印刷」を選択すると（Ｓ４；泣別れ印刷）、制御部７は、印刷部５および媒体送り機構１２を制御して、途中まで印刷された印刷画像の後端部に対し、後端部ライン形成処理（泣別れ印刷（前半））を行わせた後（Ｓ５）、印刷動作を一時停止させる（Ｓ６）。このとき、インクジェットヘッド１５は、送り経路３の側方に移動している。この状態で、布帛の継ぎ目部分がインクジェットヘッド１５の移動経路を通過するように、ユーザーは、操作部９により布帛を送る入力を行う。
【００４６】
制御部７は、印刷動作を一時停止させた後、図６に示すように、表示部８に動作選択ダイアログＢを表示する（Ｓ７）。動作選択ダイアログＢでは、「印刷再開」および「印刷中止」の２動作から１の動作を選択できるようになっている。ユーザーが、布帛の継ぎ目部分がインクジェットヘッド１５の移動経路を通過したのを確認した後、動作選択ダイアログＢにおいて、「印刷再開」を選択すると（Ｓ８；印刷再開）、制御部７は、印刷部５および媒体送り機構１２を制御して、再開後に印刷される印刷画像の先端部に対して、先端部ライン形成処理（泣別れ印刷（後半））を行い（Ｓ９）、印刷動作を再開する（Ｓ１０）。以上の一連の処理により、後端部に縞状の印刷抜けが残っていない、一時停止前に印刷した印刷画像（停止前画像）と、先端部に縞状の印刷抜けが残っていない、再開後に印刷された印刷画像（再開後画像）とが得られる。
【００４７】
また、印刷動作を再開させる必要がない場合は、ユーザーは、動作選択ダイアログＢにおいて、「印刷中止」を選択する（Ｓ８；印刷中止）。これにより、制御部７が、印刷動作の一時停止状態からそのまま印刷動作を中止させる（Ｓ１１）。この場合は、後端部に縞状の印刷抜けが残っていない停止前画像が得られる。なお、この場合は、印刷動作の一時停止（Ｓ６）の後に、ユーザーが、布帛を送る必要がない。
【００４８】
一方、途中まで印刷した印刷画像の後端部や再開後の印刷画像の先端部において、インターレース方式に起因する縞状の印刷抜けが残っても構わない場合には、ユーザーは、印刷動作が仮停止された後（Ｓ２）、布帛の継ぎ目部分がインクジェットヘッド１５の移動経路を通過するように、操作部９を操作して布帛を送った後、動作選択ダイアログＡにおいて、「印刷再開」を選択する（Ｓ４；印刷再開）。これにより、制御部７は、印刷部５および媒体送り機構１２を制御して、先端部ライン形成処理を行うことなく、印刷動作を再開する（Ｓ１０）。この場合は、後端部に縞状の印刷抜けが残った停止前画像と、先端部に縞状の印刷抜けが残った再開後画像とが得られる。
【００４９】
また、この場合も、印刷動作を再開させる必要がない場合は、ユーザーは、動作選択ダイアログＡにおいて、「印刷中止」を選択する（Ｓ４；印刷中止）。これにより、印刷動作の仮停止状態からそのまま印刷動作が中止される（Ｓ１１）。この場合は、後端部に縞状の印刷抜けが残った停止前画像が得られる。
【００５０】
以上のように、本実施形態のインクジェット記録装置１によれば、印刷画像の途中で印刷動作を一時停止する際に、途中まで印刷した印刷画像の後端部において、インターレース方式に起因する縞状の印刷抜けを残さないように、ラスタラインを形成する後端部ライン形成処理を行った（Ｓ５）後、印刷動作を一時停止する（Ｓ６）ため、インターレース方式に起因する縞状の印刷抜けが残ることがない。さらに、再開後に印刷される印刷画像の先端部において、インターレース方式に起因する縞状の印刷抜けを作らないように、ラスタラインを形成する先端部ライン形成処理を行う（Ｓ９）。これにより、再開後の印刷画像の先端部においても、インターレース方式に起因する縞状の印刷抜けが残ることがない。したがって、印刷画像の途中でインターレース方式による印刷動作を一時停止した場合にも、印刷物（捺染物）としての価値を損ねることがない。
【００５１】
また、ユーザーが一時停止指令を入力すると（Ｓ１）、表示部８に動作選択ダイアログＡが表示され（Ｓ３）、縞状の印刷抜けが残っても構わない場合などには、ユーザーが、動作選択ダイアログＡにおいて、「印刷再開」や「印刷中止」を選択することで（Ｓ４）、後端部ライン形成処理を実行させないことができる。これにより、後端部ライン形成処理に要する時間やインクを節約することができる。なお、動作選択ダイアログＡとは別の設定画面等において、一時停止する際に、後端部ライン形成処理を実行するか否かをユーザーが設定可能な構成とし、後端部ライン形成処理を実行する設定がされている場合には、一時停止する際に、常に、後端部ライン形成処理を実行するようにしてもよい。
【００５２】
本実施形態では、ユーザーが一時停止指令を入力した場合に、上記の一連の処理が行われる構成としたが、インクジェット記録装置１の各部に設けたセンサー等により、布帛の継ぎ目部分や、何らかの異常などを検出し、制御部７が、その検出に基づいて、自動的に印刷動作を一時停止する場合にも、上記の後端部ライン形成処理や先端部ライン形成処理を行う構成にしてもよい。
【００５３】
また、動作選択ダイアログＡおよび動作選択ダイアログＢを表示する代わりに、各コマンドに対応する操作ボタンを設けると共に、各操作ボタンの受付状態を表示するランプ（例えば、受付状態では点灯、非受付状態では消灯）を設けるようにしてもよい。具体的には、「印刷再開」、「泣別れ印刷」および「印刷中止」に対応する３つの操作ボタンおよび３つのランプを設ける。そして、上記の動作選択ダイアログＡを表示する代わりに、「印刷再開」に対応するランプ、「泣別れ印刷」に対応するランプおよび「印刷中止」に対応するランプをそれぞれ点灯する。また、上記の動作選択ダイアログＢを表示する代わりに、「印刷再開」に対応するランプおよび「印刷中止」に対応するランプをそれぞれ点灯する（このとき、「泣別れ印刷」に対応するランプは消灯）。
【００５４】
また、本実施形態では、インクジェット記録装置１に備えた制御部７により、印刷部５や媒体送り機構１２などを制御する構成としたが、インクジェット記録装置１とは別に、パーソナルコンピューターなどで構成した制御装置を設け、この制御装置が、制御部７を備えた構成であってもよい。さらに、この場合、制御装置が、表示部８および操作部９を備えてもよく、例えば、図７に示す動作選択ダイアログＡおよび動作選択ダイアログＢを表示部８に表示する。
【００５５】
さらに、本実施形態では、インクジェット記録装置１の印刷方式であるマルチパス方式として、インターレース方式を用いたが、オーバーラップ方式やマイクロウィーブ方式など、他のマルチパス方式を採用してもよい。ここで、オーバーラップ方式とは、各ラスタラインを複数のノズル１５ｎで形成する印刷方式である。例えば、ｍ列目のラスタラインを、ｎ回目のパス（主走査）で２番目のノズル１５ｎにより形成すると共に、ｎ＋１回目のパスで１番目のノズル１５ｎにより形成する。また、マイクロウィーブ方式とは、インターレース方式とオーバーラップ方式とを組み合わせた印刷方式である。
【符号の説明】
【００５６】
１：インクジェット記録装置、５：印字部、７：制御部、８：表示部、９：操作部、１２：媒体送り機構、１５：インクジェットヘッド
【図１】
2014047443.tif 000003
【図２】
2014047443.tif 000004
【図３】
2014047443.tif 000005
【図４】
2014047443.tif 000006
【図５】
2014047443.tif 000007
【図６】
2014047443.tif 000008
【図７】
2014047443.tif 000009